(57)【要約】【課題】ラベル印刷装置において２台接続されたプリンタを有効に使用できるものとする。【解決手段】第１及び第２のラベルプリンタ１１１，１２１が接続されたラベル印刷装置１００に２台の電子秤１４０，１５０を接続できるものとし、状態設定装置でラベル印刷装置１００を第１の状態と第２の状態に設定可能とする。第１の状態では一方の電子秤１４０で商品の質量を計測し１台のラベルプリンタ１１１で計測値に基づく価格ラベルを、他方のラベルプリンタ１２１で添加物ラベルを印刷し、第２の状態では２台の電子秤１４０，１５０で２種類の商品の質量を計測し２台のラベルプリンタ１１１，１２１で２種類の商品の商品価格ラベルを印刷できるものとする。【選択図】図２
2009029004.tif 000002
【特許請求の範囲】
【請求項１】
商品に付する商品ラベルを印刷するラベルプリンタと、
前記商品の質量を測定する秤装置と、
前記秤装置と前記ラベルプリンタとが接続される接続部と、
外部から所定のデータが入力される入力部と、
前記入力部からのデータ及び前記秤装置の計測値の少なくとも一方に基づいて商品ラベルの印刷内容を編集するラベル編集部と、
前記商品ラベルの編集用画像を表示する表示装置と、
を備えるラベル印刷装置において、
前記接続部には、２台のラベルプリンタ、及び、２台までの秤装置を接続できるものとし、
前記接続部に少なくとも１台の秤装置を接続して、前記ラベル編集部が前記接続部に接続した秤装置のうちの１台の秤装置による前記商品の計量値に基づいて生成された情報が記載された計量情報記載商品ラベルと、前記入力部からのデータに基づいて生成された情報が記載され商品情報ラベルとを編集すると共に、前記２台のラベルプリンタが編集された前記計量情報記載商品ラベルと前記商品情報ラベルとをそれぞれ印刷する第１の状態、
前記接続部に２台の秤装置を接続し、前記ラベル編集部が前記接続部に接続した一方の秤装置による一方の商品の計量値に基づく第１の計量情報記載商品ラベルと前記接続部に接続した他方の秤装置による他方の商品の計量値に基づく第２の計量情報記載商品ラベルとを編集し、前記２台のラベルプリンタが編集された２種類の計量情報記載商品ラベルをそれぞれ印刷する第２の状態、
に設定する状態設定装置を備えることを特徴とするラベル印刷装置。
【請求項２】
前記表示装置は、編集される異なる内容の２枚の商品ラベルについての２面の編集画面を同時に表示することを特徴とする請求項１記載のラベル印刷装置。
【請求項３】
接続部には２台の秤装置を接続した状態で、前記第１の状態と第２の状態とを選択する状態選択部を備えることを特徴とする請求項１又は２記載のラベル印刷装置。
【請求項４】
２台の秤装置は、同一規格のものであることを特徴とする請求項１乃至３のいずれか記載のラベル印刷装置。
【請求項５】
２台の秤装置は、異なる規格のものであることを特徴とする請求項１乃至３のいずれか記載のラベル印刷装置。
【発明の詳細な説明】
【技術分野】
【０００１】
本発明はラベルプリンタに係り、特に商品の質量を計測する秤装置と前記計測した質量に基づいて生成した計量情報を記載した商品ラベルを印刷するラベルプリンタとを備えるラベル印刷装置に関する。
【背景技術】
【０００２】
上述したラベル印刷装置として次のものがある。このようなラベル印刷装置は、例えばスーパーマーケットのバックヤードで使用されるものである。ラベル印刷装置では、商品の質量に基づいて内容が決定される売価を表示する第１のラベルと、商品の製造者、添加物等を表示する第２のラベルとを２台のラベルプリンタで同時に印刷出力する。
【０００３】
図７は従来のラベルプリンタの構成を示す斜視図である。ラベル印刷装置１０は、ラベルプリンタ２１を内蔵する印刷装置本体２０と、この印刷装置本体２０に接続され他のラベルプリンタ３１を内蔵する増設プリンタ装置３０と、電子的に商品の質量を計測して出力する１台の秤装置４０と、ラベルの編集内容を表示する液晶表示式の表示装置５０とを備えている。
【０００４】
印刷装置本体２０の上面にはデータの入力手段である入力ボタン２２が配置されている他、内部には、ラベル編集部、前記増設プリンタ装置３０、秤装置４０及び表示装置５０を接続する接続部が配置されている。
【０００５】
このラベル印刷装置１０では、表示装置５０に編集内容を表示する他、ラベルプリンタ２１によって、秤装置４０で計測した商品の質量によって変化する商品の売価を表示した第１のラベルを印刷する他、増設プリンタ装置３０のラベルプリンタ３１で商品の質量によって変化しない添加物、販売者等に関する情報を表示した第２のラベルを印刷することができる。
【０００６】
ラベル印刷装置として、特許文献１には、商品の重量を計量する計量部と、商品毎に品名、単位重量当たりの単価等の商品情報を記憶しているＰＬＵファイルと、上記計量部で計量された商品の重量、ＰＬＵファイル情報等を表示する表示部と、ラベルを印刷する印字部と、上記表示部に表示されたデータの表示フォーマットデータ及び表示データを外部機器に送信する通信手段とを具備したラベル印刷装置が記載されている。
【０００７】
【特許文献１】特開２０００−９７７５４号公報
【発明の開示】
【発明が解決しようとする課題】
【０００８】
ところで、ラベルを作成する対象である商品によっては、秤装置で計量した質量に基づいて作成する第１のラベルだけを付するものがある。例えば商品に添加物等を使用しない場合には、添加物を表示した第２のものは印刷する必要がない。
【０００９】
このような場合には、ラベル印刷装置に接続された他の１台のラベルプリンタは使用されることがないという問題がある。
【００１０】
そこで本発明は、２台接続されているプリンタを有効に使用することができるラベル印刷装置を提供することを課題とする。
【課題を解決するための手段】
【００１１】
本発明において上記の課題を解決するための手段は、商品に付す商品ラベルを印刷するラベルプリンタと、前記商品の質量を測定する秤装置と、前記秤装置と前記ラベルプリンタとが接続される接続部と、外部から所定のデータが入力される入力部と、前記入力部からのデータ及び前記秤装置の計測値の少なくとも一方に基づいて商品ラベルの印刷内容を編集するラベル編集部と、前記商品ラベルの編集用画像を表示する表示装置と、を備えるラベル印刷装置において、前記接続部には、２台のラベルプリンタ、及び、１台の秤装置又は２台の秤装置を接続できるものとし、前記接続部に少なくとも１台の秤装置を接続して、前記ラベル編集部が前記接続部に接続した秤装置のうちの１台の秤装置による前記商品の計量値に基づいて生成された情報が記載された計量情報記載商品ラベルと、前記入力部からのデータに基づいて生成された情報が記載され商品情報ラベルとを編集すると共に、前記２台のラベルプリンタが編集された前記計量情報記載商品ラベルと前記商品情報ラベルとをそれぞれ印刷する第１の状態、前記接続部に２台の秤装置を接続し、前記ラベル編集部が前記接続部に接続した一方の秤装置による一方の商品の計量値に基づく第１の計量情報記載商品ラベルと前記接続部に接続した他方の秤装置による他方の商品の計量値に基づく第２の計量情報記載商品ラベルとを編集し、前記２台のラベルプリンタが編集された２種類の計量情報記載商品ラベルをそれぞれ印刷する第２の状態に設定する状態設定装置を備えることを特徴とする。
【発明の効果】
【００１２】
本発明に係るラベル印刷装置によれば、接続部に少なくとも１台の秤装置を接続した状態で接続された秤装置で商品の質量を計測し、ラベル編集部で計量値に基づいて商品についての計量情報記載商品ラベルと入力部から入力されたデータに基づいて商品情報ラベルとを編集し、２台のラベルプリンタで計量情報記載商品ラベルと商品情報ラベルとを印刷することができる他、接続部に２台の秤装置を接続した状態で２台の秤装置でそれぞれ２つの商品の質量を計測し、ラベル編集部で２つの計測値に基づいて２つの商品のそれぞれの計量情報記載商品ラベルを編集し２台のラベルプリンタで２枚の計量情報記載商品ラベルを並行して印刷することができ、ラベル印刷の状況に対応してラベルプリンタを無駄なく使用でき、効率のよいラベル印刷を行うことができる。
【発明を実施するための最良の形態】
【００１３】
以下本発明に係るラベル印刷装置を実施するための最良の形態を図１乃至図６に基づいて説明する。
【００１４】
図１は実施の形態例に係るラベル印刷装置を示す斜視図である。本例に係るラベル印刷装置１００は、１台のラベルプリンタ本体１１０と、ラベルプリンタ本体１１０に接続された増設ラベルプリンタ１２０と、前記ラベルプリンタ本体１１０の上部に配置された表示装置である液晶表示装置１３０と、前記ラベルプリンタ本体に接続された２台の秤装置である第１の電子秤１４０及び第２の電子秤１５０を備えている。
【００１５】
ラベルプリンタ本体１１０には、ラベルを編集するラベル編集部と、感熱紙で構成されるラベルを印刷するラベルプリンタ１１１を内蔵しており、上部に入力部を構成するタッチパネル１１２を備えている。
【００１６】
また、増設ラベルプリンタ１２０には、第２のラベルプリンタ１２１が配置されている。
【００１７】
ラベル印刷装置１００は、ラベルプリンタ本体１１０に配置された制御部２００によって制御されている。本例では制御部２００は、ラベル編集、第１及び第２のラベルプリンタ１１１，１２１の印字制御、液晶表示装置１３０の表示制御、ホストコンピュータとの通信制御を行う。ホストコンピュータには、商品情報として商品の単価、添加物等についてのデータが格納されており、制御部２００の要求に応じてホストコンピュータは、必要なデータをラベル印刷装置１００に送出する。
【００１８】
図２は制御部を含むラベル印刷装置の電気的構成を示すブロック図である。制御部２００にはＣＰＵ２０１が配置され、ＣＰＵ２０１には、固定データを固定的に記憶保存するＲＯＭ２０２と、可変データを書き換え自在に記憶してワークエリアとして使用されるＲＡＭ２０３とがバスライン２０４を介して接続されている。ＣＰＵ２０１は、プログラムに従った処理を実行して前記各機能を果たす。
【００１９】
また、バスライン２０４には、ホストコンピュータと接続されるＬＡＮ２２１がＬＡＮコントローラ２１１を介して、ＵＳＢメモリ２２２がＵＳＢコントローラ２１２を介して、ＣＦカード２２３がＣＦカードコントローラ２１３を介して接続されている。
【００２０】
また、液晶表示装置１３０は、ＶＲＡＭ２１５が接続された表示コントローラ２１４を介してバスライン２０４に接続され、タッチパネル１１２はタッチパネルコントローラ２１６を介してバスライン２０４に接続されている。
【００２１】
第１の電子秤１４０及び第２の電子秤１５０、第１のラベルプリンタ１１１及び第２のラベルプリンタ１２１は、接続部２３０を介して制御部２００に接続されている。本例では、接続部２３０は、第１の秤コントローラ２３１、第２の秤コントローラ２３２、専用設計半導体（ＡＳＩＣ）を備えたラベルプリンタコントローラ２３３を備えて構成されている。本例では、ラベルプリンタ１１１，１２１は制御部２００に接続されたままの状態であり、第１の電子秤１４０及び第２の電子秤１５０は、両方接続したままとしておくことができる他、必要に応じて第１の電子秤１４０を接続した状態のラベル印刷装置１００に第２の電子秤１５０を追加して接続することができる。
【００２２】
また、本例のラベル印刷装置１００ではタッチパネル１１２からの選択により、制御部２００は選択装置として、ラベル印刷装置１００の状態を次の２つの状態に設定できるようにしている。
【００２３】
第１の状態は、商品情報ラベルと計量情報記載商品ラベルとからなる２枚の商品ラベルを印刷するものである。即ちこの状態では、接続部２３０に１台又は２台の秤装置を接続して、ラベル編集部で秤装置のうちの１台の秤装置による商品の計量値に単価を乗じて得られた価格及び単価が記載された計量情報記載商品ラベルに相当する商品価格ラベルと、タッチパネル１１２やＬＡＮコントローラ２１１を介してホストコンピュータから得られた添加物データ等に基づいて生成された情報が記載され商品情報ラベルとを編集すると共に、第１のラベルプリンタ１１１が商品価格ラベルを第２のラベルプリンタ１２１が商品情報ラベルとをそれぞれ印刷するものである。
【００２４】
また、第２の状態は、第１の計量情報記載商品ラベルと第２の計量情報記載商品ラベルとからなる２枚の商品ラベルを印刷するものである。即ちこの状態では、接続部２３０に第１の電子秤１４０及び第２の電子秤１５０を接続し、ラベル編集部が前記接続部に接続した第１の電子秤１４０による商品の計量値に基づく第１の計量情報記載商品ラベルである第１の商品価格ラベルと、第２の電子秤１５０による他方の商品の計量値に基づく第２の計量情報記載商品ラベルである第２の商品価格ラベルとを編集し、第１のラベルプリンタ１１１で第１の商品価格ラベルを、第２のラベルプリンタ１２１で第２の商品価格ラベルをそれぞれ印刷するものである。
【００２５】
まず第１の状態が選択された場合について説明する。
【００２６】
図３は第１の状態におけるラベル印刷装置の動作を示すフローチャート、図４は第１の状態における液晶表示装置の表示状態を示す模式図である。
【００２７】
この状態で、ラベル印刷装置１００には第１の電子秤１４０が接続されている。なお、第１の電子秤１４０と第２の電子秤１５０とを接続しておき、第１の電子秤１４０だけを使用するようにしてもよい。
【００２８】
本例では、１種類の商品について商品価格ラベルと添加物ラベルを印刷する。まず、制御部２００は、オペレータによりタッチパネル１１２から入力された商品コード等に基づいて、ＬＡＮ２２１を介してホストコンピュータから添加物データを取得し（ステップＳＴ１１）、次いで、制御部２００は添加物ラベルの編集を行う（ステップＳＴ１２）。
【００２９】
この例では、添加物ラベルの内容は同一種類の商品については同じである。
【００３０】
そして、制御部２００は、ホストコンピュータから商品の単位質量当たりの価格（単価）を取得し（ステップＳＴ１３）、オペレータにより商品が第１の電子秤１４０に載置された状態で、制御部２００は、商品の質量を計測する（ステップＳＴ１４）。商品の質量の測定に際しては包装容器の質量は自動的に減じられるものとする。そして、制御部２００は単価に商品の質量を乗じて価格を算出して商品価格ラベルの編集を行う（ステップＳＴ１５）。
【００３１】
この編集内容は、図４に示すように液晶表示装置１３０に表示される。本例では液晶表示装置１３０には、編集内容が表示される。
【００３２】
即ち液晶表示装置１３０には編集画面３００が表示される。編集画面３００には、ラベルの発行画面３１０が表示され、発行画面３１０には、商品表示欄３２０、加工日時表示欄３３０、消費期限日時欄３４０、数量価格表示欄３５０，添加物表示欄３６０等が表示され、各欄に所定の内容が表示される。
【００３３】
オペレータによりこの内容が確認され、承認された後、第１のラベルプリンタ１１１で商品価格ラベルが、第２のラベルプリンタ１２１で添加物ラベルが印刷され出力される（ステップＳＴ１６）。なお、上記例では、最初に添加物ラベルの編集を行い、次いで商品価格ラベルの編集を行うとして説明したが、その順序はどちらが先になってもよい。また印刷も順次行うようにしてもよい。
【００３４】
次に第２の状態が選択された場合について説明する。
【００３５】
図５は第２の状態におけるラベル印刷装置の動作を示すフローチャート、図６は第２の状態における液晶表示装置の表示状態を示す模式図である。
【００３６】
この状態で、ラベル印刷装置１００には、第１の電子秤１４０と第２の電子秤１５０とが接続されている。
【００３７】
本例では、異なる単価の２種類の商品Ａ及び商品Ｂについてそれぞれ商品価格ラベルを印刷する。まず、制御部２００は、オペレータによりタッチパネル１１２から入力された商品コード等に基づいて、制御部２００は、ＬＡＮ２２１を介してホストコンピュータから商品Ａの単価を取得する（ステップＳＴ２１）。オペレータにより商品が第１の電子秤１４０に載置された状態で、制御部２００は、商品Ａの質量を計測する（ステップＳＴ２２）。商品の質量の測定に際しては包装容器の質量は自動的に減じられるものとする。そして、制御部２００は単価に商品の質量を乗じて価格を算出して商品Ａの商品価格ラベルの編集を行う（ステップＳＴ２３）。
【００３８】
そして、制御部２００は、ホストコンピュータから商品Ｂの単位質量当たりの価格（単価）を取得し（ステップＳＴ２４）、オペレータにより商品が第２の電子秤１５０に載置された状態で、制御部２００は、商品Ｂの質量を計測する（ステップＳＴ２５）。商品の質量の測定に際しては包装容器の質量は自動的に減じられるものとする。そして、制御部２００は単価に商品の質量を乗じて価格を算出して商品Ｂの商品価格ラベルの編集を行う（ステップＳＴ２６）。
【００３９】
この編集内容は、図６に示すように液晶表示装置１３０に表示される。
【００４０】
即ち液晶表示装置１３０には編集画面４００が表示される。編集画面４００は商品Ａに関するラベルの発行画面４１０と、商品Ｂに関するラベルの発行画面４２０が並べて表示される。各ラベルの発行画面４１０，４２０が表示され、発行画面４１０，４２０には、商品表示欄４１１，４２１、加工日時表示欄４１２，４２２、消費期限日時欄４１３，４２３、価格表示欄４１４，４２４、添加物表示欄４１５，４２５等が表示され、各欄に所定の内容が表示される。
なお、この例では商品に添加物は添加されていないので、添加物表示欄４１５，４２５には何も表示されず、ラベルも印刷されない。
【００４１】
この内容がオペレータによって確認され、承認された後、第１のラベルプリンタ１１１で商品Ａの商品価格ラベルが、第２のラベルプリンタ１２１で商品Ｂの商品価格ラベルが印刷され出力される（ステップＳＴ２７）。
【００４２】
なお、上記例では異なる単価の２種類の商品を例として説明したが、同一単価の商品を対象とすることができる。この場合同一の単価データを使用することができ、単価データの取得は１回でよい。
【００４３】
また、前記第１の電子秤１４０と第２の電子秤１５０とは同一秤量のものを使用することができる他、異なる秤量のものを使用することができる。異なる秤量の電子秤を使用すれば多様な商品を対象としてラベルを印刷することができる。
【００４４】
また、上記例では、第１の状態と第２の状態とをオペレータがタッチパネル１１２を操作して選択するように構成したが、第２の電子秤１５０を接続したとき、制御部２００がこれを関知して自動的に第２の状態とするように構成してもよい。
【図面の簡単な説明】
【００４５】
【図１】実施の形態例に係るラベル印刷装置を示す斜視図である。
【図２】制御部を含むラベル印刷装置の電気的構成を示すブロック図である。
【図３】第１の状態におけるラベル印刷装置の動作を示すフローチャートである。
【図４】第１の状態における液晶表示装置の表示状態を示す模式図である。
【図５】第２の状態におけるラベル印刷装置の動作を示すフローチャートである。
【図６】第２の状態における液晶表示装置の表示状態を示す模式図である。
【図７】従来のラベルプリンタの構成を示す斜視図である。
【符号の説明】
【００４６】
１００  ラベル印刷装置、１１１  第１のラベルプリンタ、１１２  タッチパネル（入力部）、１２１  第２のラベルプリンタ、１３０  液晶表示装置（表示部）、１４０  第１の電子秤（秤装置）、１５０  第２の電子秤（秤装置）、２３０  接続部
【図１】
2009029004.tif 000003
【図２】
2009029004.tif 000004
【図３】
2009029004.tif 000005
【図４】
2009029004.tif 000006
【図５】
2009029004.tif 000007
【図６】
2009029004.tif 000008
【図７】
2009029004.tif 000009